(57)【要約】【課題】製造コストを抑えたインスタントフイルムパックを提供する。【解決手段】フイルムパック２を、複数枚のインスタントフイルム３と、これらのインスタントフイルム３を重ねて収納するケース４とから構成する。ケース４を、箱形状で上面が開放されたケース本体２０と、ケース本体２０の上面を閉じるケース蓋２１と、このケース蓋２１の内面２１ａに一体に形成された板バネ２２，２３とから構成する。フイルムパック２を組み立てると、インスタントフイルム３は、板バネ２２，２３によってケース本体２０の底面２０ａに押し付けられる。【選択図】図２
2007225667.tif 000002
【特許請求の範囲】
【請求項１】
シート状の複数枚の記録媒体と、これらの記録媒体を重ね方向に押圧した状態で収納するとともに、収納した記録媒体を外部に排出するための記録媒体排出口が形成されたケースとからなる記録媒体パックにおいて、
前記ケースは、前記記録媒体が収納されるケース本体と、
前記ケース本体の底面に対向するように配されて収納空間を閉じる蓋と、
前記蓋の内面に一体に設けられ、収納した記録媒体を前記ケース本体の底面に押し付ける弾性部材とから構成されることを特徴とする記録媒体パック。
【請求項２】
前記記録媒体はインスタントフイルムであることを特徴とする請求項１記載の記録媒体パック。
【請求項３】
前記弾性部材は、前記蓋の内面から斜め方向に突出するとともに先端部が前記記録媒体に接触する板バネであって、収納した記録媒体を、５０ｇ重以上かつ３００ｇ重以下の力で押圧することを特徴とする請求項２記載の記録媒体パック。
【発明の詳細な説明】
【技術分野】
【０００１】
本発明は、シート状の複数枚の記録媒体が収納されており、プリンタに着脱自在に装填される記録媒体パックに関する。
【背景技術】
【０００２】
赤外線通信などを用いて受信した画像データに基づいてインスタントフイルムに露光を行った後、このインスタントフイルムの現像液ポッドを裂開して現像液を展開し、写真プリントとして排出する携帯型プリンタが知られている。このような携帯型プリンタには、複数枚のインスタントフイルムが収納されたインスタントフイルムパック（以下、フイルムパック）が着脱自在に装填される。
【０００３】
フイルムパックは、複数枚のインスタントフイルムと、これらのインスタントフイルムが収納されるケースとから構成される。ケースにはクロー開口及びフイルム排出口が形成されており、装填後のフイルムパック内のインスタントフイルムはクロー開口から挿入されるクロー部材によって１枚ずつ掻き出され、フイルム排出口から送り出されて、露光処理や現像処理が施される。インスタントフイルムをクロー部材によって確実に掻き出すためには、インスタントフイルムを積層方向に押圧してケース底面に押し付けた状態にすることが必要であった。
【０００４】
インスタントフイルムをケース底面に押し付けるため、フイルムパックのケースの上面に押圧用開口を形成し、この押圧用開口を通してインスタントフイルムを押圧する技術が知られている（例えば、特許文献１参照）。フイルムパックのプリンタへの装填時に開閉される装填蓋の内面にはフイルム押え装置を取り付け、装填蓋の閉じ動作に伴って、フイルム押え装置の押え部材を押圧用開口から侵入させてインスタントフイルムを押圧する。しかし、この構成の場合には、フイルム押え装置が必要になることから、携帯型プリンタの製造コストが上昇するとともに、携帯型プリンタも大型化してしまう。
【０００５】
フイルムパックのケース内に板バネを内蔵し、この板バネによってインスタントフイルムを押圧する技術も知られている（例えば、特許文献２参照）。
【特許文献１】特開２００４−１４４７７２号公報
【特許文献２】特開平６−８９００８号公報
【発明の開示】
【発明が解決しようとする課題】
【０００６】
しかしながら、特許文献２に記載された技術では、板バネとケースとを別体として製造してから、板バネをケース内に取り付ける構成であるため、部品点数が増加して組立ての手間がかかり、製造コストが上昇してしまう。
【０００７】
本発明は、収納した記録媒体をケース底面に押し付けることが可能な安価な記録媒体パックを提供することを目的とする。
【課題を解決するための手段】
【０００８】
本発明は、シート状の複数枚の記録媒体と、これらの記録媒体を重ね方向に押圧した状態で収納するとともに、収納した記録媒体を外部に排出するための記録媒体排出口が形成されたケースとからなる記録媒体パックに関し、前記ケースは、前記記録媒体が収納されるケース本体と、前記ケース本体の底面に対向するように配されて収納空間を閉じる蓋と、前記蓋の内面に一体に設けられ、収納した記録媒体を前記ケース本体の底面に押し付ける弾性部材とから構成されることを特徴とする。本発明は、前記記録媒体がインスタントフイルムである場合に好適である。
【０００９】
前記弾性部材は、前記蓋の内面から斜め方向に突出するとともに先端部が前記記録媒体に接触する板バネであって、収納した記録媒体を、５０ｇ重以上かつ３００ｇ重以下の力で押圧することが好ましい。
【発明の効果】
【００１０】
本発明によれば、収納した記録媒体をケース底面に押し付けることが可能な安価な記録媒体パックを提供することができる。また、記録媒体パックを装填するプリンタ側に記録媒体押え装置を設ける必要がなくなることから、プリンタの小型化を図ることができる。
【発明を実施するための最良の形態】
【００１１】
図１及び図２に示すように、本発明を実施したインスタントフイルムパック（以下、フイルムパック）２は、複数枚のインスタントフイルム３と、これらのインスタントフイルム３を重ねて収納するケース４とから構成される。図２は、図１のII−II線に沿って切断したときのフイルムパック２の断面図である。フイルムパック２は、携帯型プリンタやプリント機能付きカメラに着脱自在に装填される。
【００１２】
インスタントフイルム３は、露光が行われる露光面３ａと、画像が形成されるポジ像観察面３ｂとが異なる面に設けられた透過型インスタントフイルムである。インスタントフイルム３は矩形状である。図３に示すように、インスタントフイルム３は、表面側が露光面３ａとなるカバーシート１０と、表面側がポジ像観察面３ｂとなるベースシート１１と、現像液を内包した現像液ポッド１２と、余剰現像液を吸収するトラップ部１３と、これらを保持するマスクシート１４とから構成される。カバーシート１０とベースシート１１とは透光性を有しており、ベースシート１１には感光層１１ａ、拡散反射層、及び受像層等が設けられている。
【００１３】
プリント時には、感光層１１ａに対して画像光が照射され、感光層１１ａが感光される。現像時には、現像液ポッド１２が裂開され、カバーシート１０とベースシート１１との間に現像液が流し込まれる。感光層１１ａには光化学的に潜像が形成され、この潜像が拡散反射層を通して受像層に転写される。これにより、ポジ像観察面にはポジ像が形成される。
【００１４】
図１及び図２に示すように、ケース４は、箱形状で上面が開放されたケース本体２０と、ケース蓋２１と、このケース蓋２１の内面２１ａに一体に形成された板バネ２２，２３とから構成される。ケース蓋２１は、ケース本体２０の上面を光密に塞ぐようにして配置される。ケース本体２０とケース蓋２１とによって囲まれる空間が収納空間となる。ケース本体２０とケース蓋２１とは遮光性を有する樹脂で形成されている。
【００１５】
ケース本体２０には、クロー開口２７とフイルム排出口２８とが形成されている。収納されたインスタントフイルム３は、クロー開口２７から挿入される図示しないクロー部材によって掻き出され、現像液ポッド１２側を先頭にしてフイルム排出口２８から１枚ずつ送り出される。
【００１６】
クロー開口２７は、図示しない遮光シートによって内側から覆われている。この遮光シートは、アルミ箔や遮光性を付与された樹脂によって形成されている。遮光シートは簡単に破れやすい易切断性を有している。この遮光シートは、最初のインスタントフイルム３の送り出し時に、クロー部材によって破られる。
【００１７】
フイルム排出口２８は、図示しない遮光フラップによって外側から覆われている。この遮光フラップは、遮光性を付与されたポリエステルやＰＥＴ等でシート状に形成されており、可撓性を有している。遮光フラップは接着剤によってケース本体２０に貼り付けられており、この接着剤は遮光フラップの一部領域にだけ配されているため、送り出されるインスタントフイルム３によって遮光フラップが押圧されて遮光フラップが変形し、フイルム排出口２８が開放される。
【００１８】
ケース蓋２１と板バネ２２，２３とは、樹脂成形によって一体に形成される。樹脂としては、例えばＡＢＳ樹脂、ポリスチレン、ポリプロピレンなどを用いる。各板バネ２２，２３はケース蓋２１の内面２１ａから斜め方向に突出するように形成されている。板バネ２２と板バネ２３とは、互いに逆方向に突出しており、互いに同じ弾性特性を有している。各板バネ２２，２３の先端部２２ａ，２３ａは、ケース蓋２１の内面２１ａに対して平行に延びるように形成されている。各先端部２２ａ，２３ａはインスタントフイルム３に接触する部位となるが、このように形成することにより接触面積を広くし、インスタントフイルム３を必要以上に強く押圧しないよう構成している。なお、各板バネの先端部は接触面積が広くなるとともにインスタントフイルムが傷つかないような形状であればよく、例えば曲面状に形成してもよい。
【００１９】
各板バネ２２，２３の先端部２２ａ，２３ａがケース蓋２１の内面２１ａに垂直な方向で変位可能な変位量は、少なくとも、インスタントフイルム３の厚みに最大収納枚数を掛け合わせた長さ以上になっている。つまり、ケース４に収納されているインスタントフイルム３が残り１枚になっても、各板バネ２２，２３は、このインスタントフイルム３を押圧することができるように設計されている。
【００２０】
フイルムパック２は、ケース本体２０にインスタントフイルム３を重ねて収納した上で、ケース本体２０にケース蓋２１を接着剤により接合して組み立てられる。図４は、組み立てられたフイルムパック２の断面図である。板バネ２２は付け根２２ｂを支点として時計回りに回転するようにして変形し、また、板バネ２３は付け根２３ｂを支点として反時計回りに回転するようにして変形する。各板バネ２２，２３の先端部２２ａ，２３ａはインスタントフイルム３に接触して弾性力によってインスタントフイルム３を積層方向に押圧する。インスタントフイルム３はケース本体２０の底面２０ａに押し付けられた状態となる。
【００２１】
組み立てられたフイルムパック２は、プリンタに装填して使用される。装填後のフイルムパック２のクロー開口２７（図１参照）にはクロー部材が挿入され、このクロー部材によってインスタントフイルム３が１枚ずつ掻き出されてフイルム排出口２８からケース４の外部へと送り出される。この送り出されたインスタントフイルム３には、プリンタに備えられた画像記録部によって露光処理が施されるとともに、展開ローラによって現像液ポッド１２が裂開されて現像処理が施される。インスタントフイルム３は写真プリントとしてプリンタの外部へと排出される。
【００２２】
フイルムパック２の各板バネ２２，２３は、収納されたインスタントフイルム３の枚数が減少してもインスタントフイルム３を押圧し続けることが可能である。図５は収納されたインスタントフイルム３が残り１枚になったときのフイルムパック２の断面図である。このように、残り１枚になるまでインスタントフイルム３を押圧し続けることができるため、全てのインスタントフイルム３を確実に送り出すことが可能である。
【００２３】
本発明のフイルムパック２によれば、ケース蓋２１と板バネ２２，２３とを一体に形成したので、これらを別体に形成する場合と比較して部品点数を抑えることができるため、製造コストを抑えることが可能になる。また、このフイルムパック２を装填するプリンタ側にフイルム押え装置を設ける必要がなくなるため、プリンタを小型化することができる。
【００２４】
なお、上記実施形態では、２つの板バネがインスタントフイルムの送り出し方向に並べられていたが、送り出し方向と直交する方向に並べてもよい。また、板バネの数は２つに限らず１つでも３つ以上でもよく、板バネの形状も上記に限られない。さらに、上記実施形態では、２つの板バネが互いに同じ弾性特性を有していたが、搬送負荷を小さくして円滑に搬送するために、互いに異なる弾性特性を有するようにしてもよく、例えばフイルム排出口に近い側の板バネの弾性力を弱くしてもよい。
【００２５】
上記実施形態では、インスタントフイルムを搬送しながら露光を行うプリンタに装填されるフイルムパックで本発明を説明したが、収納状態のインスタントフイルムに対して画像記録部が移動して露光を行うプリンタに装填されるフイルムパックに本発明を適用してもよい。この場合には、フイルムパックのケースの底面に露光開口を形成する。
【００２６】
本発明は、カメラ用のインスタントフイルムパックにも適用することができる。また、感光性を有する記録媒体を収納した他の記録媒体パックにも適用することができる。
【実施例１】
【００２７】
以下では、本発明の実施例について説明する。インスタントフイルム３には、縦幅８６ｍｍ、横幅５４ｍｍ、厚み０、９ｍｍのサイズのものを用いている。ケース４は、このインスタントフイルム３を１０枚収納することが可能である。板バネ２２，２３は、収納したインスタントフイルム３を、５０ｇ重以上かつ３００ｇ重以下の力で押圧するように調整されている。つまり、収納しているインスタントフイルム３が最大枚数の１０枚であり板バネ２２，２３による押圧力が最大になる場合であっても、押圧力は３００ｇ重以下であり、かつ、収納しているインスタントフイルム３が残り１枚であり板バネ２２，２３による押圧力が最小になる場合であっても、押圧力は５０ｇ重以上となる。このように設計した理由は、押圧力が３００ｇ重以上になると、インスタントフイルム３の表面に傷がつくおそれがあるとともにフイルムパック２の組立作業が難しくなるからであり、一方、押圧力が５０ｇ重以下になると、インスタントフイルム３の押し付けが不十分となり、インスタントフイルム３が円滑に搬送されないおそれが生じるからである。
【図面の簡単な説明】
【００２８】
【図１】インスタントフイルム及びケースの分解斜視図である。
【図２】インスタントフイルム及びケースの断面図である。
【図３】インスタントフイルムの断面図である。
【図４】収納されているインスタントフイルムが最大枚数であるときのフイルムパックの断面図である。
【図５】収納されているインスタントフイルムが残り１枚になったときのフイルムパックの断面図である。
【符号の説明】
【００２９】
２  インスタントフイルムパック
３  インスタントフイルム
４  ケース
２０  ケース本体
２１  ケース蓋
２２，２３  板バネ
【図１】
2007225667.tif 000003
【図２】
2007225667.tif 000004
【図３】
2007225667.tif 000005
【図４】
2007225667.tif 000006
【図５】
2007225667.tif 000007